(57)【特許請求の範囲】
【請求項１】
イメージ除去送受信機であって、
出力を有する送信機電圧制御発振器（２２）と、
入力（１８）および出力（４４）を有する受信機と、
前記送信機電圧制御発振器（２２）の前記出力に結合された第１電流搬送端子と、前記受信機（１８）の前記入力に結合された第２電流搬送端子と、信号を受信するように結合された制御端子とを有する第１スイッチ（２４）であって、周期的に所定の時間にわたり閉成される、前記第１スイッチ（２４）と
を備え、前記受信機は、
前記受信機の前記入力に結合された入力と、出力とを有する第１ミキサー（２８）と、
前記受信機の前記入力に結合された入力と、出力とを有する第２ミキサー（３４）と、
前記第２ミキサー（３４）の前記出力に結合された第１入力と、第２入力と、出力とを有する第１移相回路（３６）と、
前記第１ミキサー（２８）の前記出力に結合された第１入力と、前記第１移相回路（３６）の前記出力に結合された第２入力と、出力とを有する位相検出回路（３８）と、
前記第１スイッチの前記制御端子に結合された制御端子と、前記位相検出回路（３８）の前記出力に結合された第１電流搬送端子と、前記第１移相回路（３６）の前記第２入力に結合された第２電流搬送端子とを有する第２スイッチ（４５）であって、前記第１スイッチ（２４）と同時に、周期的に前記所定の時間にわたり閉成される、前記第２スイッチ（４５）と、
前記第１移相回路（３６）の前記第２入力に結合された第１端子と、電源導体に結合された第２端子とを有するコンデンサ（４６）であって、前記第２スイッチ（４５）が閉成している間に前記位相検出回路（３８）の出力に応じて電荷を蓄積するコンデンサ（４６）と
を含み、前記コンデンサ（４６）上に蓄積された電荷が維持されるように、前記第１スイッチ（２４）及び前記第２スイッチ（４５）が周期的に閉成される、イメージ除去送受信機。
【請求項２】
イメージ除去送受信機であって、
出力を有する送信機電圧制御発振器（２２）と、
入力（１８）および出力（４４）を有する受信機と、
前記送信機電圧制御発振器（２２）の前記出力に結合された第１電流搬送端子と、前記受信機（１８）の前記入力に結合された第２電流搬送端子と、信号を受信するように結合された制御端子とを有する第１スイッチ（２４）であって、周期的に所定の時間にわたり閉成される、第１スイッチ（２４）と
を備え、前記受信機は、
第１入力と、第２入力と、出力とを有する第１移相回路（３６）と、
第１入力と、前記第１移相回路（３６）の前記出力に結合された第２入力と、出力とを有する位相検出回路（３８）と、
前記第１スイッチの前記制御端子に結合された制御端子と、前記位相検出回路（３８）の前記出力に結合された第１電流搬送端子と、前記第１移相回路（３６）の前記第２入力に結合された第２電流搬送端子とを有する第２スイッチ（４５）であって、前記第１スイッチ（２４）と同時に、周期的に前記所定の時間にわたり閉成される、前記第２スイッチ（４５）と、
前記第１移相回路（３６）の前記第２入力に結合された第１端子と、電源導体に結合された第２端子とを有する第１コンデンサ（４６）であって、前記第２スイッチ（４５）が閉成している間に前記位相検出回路（３８）の出力に応じて電荷を蓄積する第１コンデンサ（４６）と、
出力を有する受信機電圧制御発信器（３０）と、
前記受信機の前記入力に結合された第１入力と、第２入力と、前記位相検出回路（３８）の第１入力に接続された出力とを有する第１ミキサー（２８）と、
前記受信機電圧制御発信器の前記出力及び前記第１ミキサーの前記第２入力に共通して結合された入力と、出力とを有する第２移相回路（３２）と、
前記受信機の前記入力に結合された第１入力と、前記第１移相回路の前記出力へ結合された第２入力と、第３入力と、前記第１移相回路の前記第１入力に結合された出力とを有する第２ミキサー（３４）と、
前記第１ミキサーの前記出力に結合された第１入力と、前記第２移相回路の前記出力に結合された第２入力と、出力とを有する振幅検出回路（４０）と、
前記第１スイッチの前記制御端子に結合された制御端子と、前記振幅検出回路の前記出力に結合された第１電流搬送端子と、前記第２ミキサーの前記第３入力に結合された第２電流搬送端子とを有する第３スイッチ（４７）であって、前記第１スイッチ（２４）と同時に、周期的に前記所定の時間にわたり閉成される、前記第３スイッチ（４７）と、
前記第２ミキサーの前記第３入力に結合された第１端子と、電源導体に結合された第２端子とを有する第２コンデンサ（４８）であって、前記第３スイッチ（４７）が閉成している間に前記振幅検出回路（４０）の出力に応じて電荷を蓄積する第２コンデンサ（４８）と
を含み、前記第１コンデンサ（４６）及び前記第２コンデンサ（４８）上に蓄積された電荷が維持されるように、前記第１スイッチ（２４）、前記第２スイッチ（４５）、及び前記第３スイッチ（４７）が周期的に閉成される、イメージ除去送受信機。
【請求項３】
受信機においてイメージを除去する方法であって、
送信時間期間の一部を時間セグメント（８４）として周期的に選択する段階と、
前記時間セグメント（８４）の間に第１スイッチ（２４）を閉成することにより、前記第１スイッチ（２４）を介して送受信機の送信機（１７）から該送受信機の受信機（１６）に第１信号（ＶＯＳＣ）を転送する段階と、
前記第１信号を第１ミキサー（２８）に入力することにより、前記第１信号と同相の第２信号（ＶＯＵＴ１）を発生し、かつ前記第１信号を第２ミキサー（３４）に入力することにより、前記第１信号と直交する第３信号（ＶＯＵＴ３）を発生する段階と、
前記時間セグメント（８４）の間に、較正のために前記第２および第３信号を調節し、前記受信機（１６）においてイメージを除去する段階であって、前記時間セグメント（８４）の間に第２スイッチ（４５）を閉成することにより、前記第３信号の位相を前記第２信号に対してシフトさせる電荷を、前記第２スイッチ（４５）を介してコンデンサ（４６）に蓄積して前記第２および第３信号の間の位相関係を変化させ、前記受信機の位相を較正することを含む、前記イメージを除去する段階と
を備え、前記コンデンサ（４６）上に蓄積された電荷が維持されるように、前記時間セグメントが周期的に選択されることを特徴とする方法。
【請求項４】
前記イメージを除去する段階は、前記第２信号（ＶＯＵＴ１）の振幅を変化させる電荷を第２コンデンサ（４８）に蓄積して前記第２信号の振幅を前記第３信号（ＶＯＵＴ３）と実質的に一致させることを含む、請求項４記載の方法。
【発明の詳細な説明】
【０００１】
【発明の属する技術分野】
本発明は、一般的に、集積回路に関し、更に特定すれば、イメージ除去送受信機(image reject transceiver)を有する集積回路に関するものである。
【０００２】
【従来の技術】
セルラまたはワイヤレス電話機のような電子システム、とりわけ、テレビジョン用イメージ検出器では、着信基準信号と電圧制御発振器（ＶＣＯ：Voltage Controlled Oscillator ）によって発生される信号との間に、位相および周波数関係が存在する。典型的に、ヘテロダイン受信機内のミキサは、無線周波数（ＲＦ：Radio Frequency ）信号を、それよりも低い中間周波数（ＩＦ：Intermediate Frequency）信号に変換する。ミキサは、受信したＲＦ信号を局部発振（ＬＯ：Local Oscillator）信号と乗算し、ＲＦ信号とＬＯ信号との間の和周波数および差周波数を発生する。フィルタ回路を用いて差周波数、即ち、ミックス・ダウン信号(mixed down signal) を選択し、変換したＲＦ信号に含まれる変調情報を復元する。
【０００３】
受信機の入力には、ＬＯ信号よりも周波数が高いまたは低い不要のイメージも存在する。不要のイメージも、ミキサによって周波数変換される。ミキサの出力における信号が同相であり、一方不要のイメージが１８０度位相外れで、振幅が等しいことが望ましい。ミキサの出力における信号を加算することによって、位相外れでかつ振幅が等しい不要のイメージは完全に相殺され、所望の信号が加算される。
【０００４】
しかしながら、ヘテロダイン受信機における電圧および温度変化のために、不要のイメージ間で等価な信号減衰および１８０度の位相関係を維持することが困難となる。更に、典型的なヘテロダイン受信機は、２つの受動フィルタを含み、これらが不要なイメージの除去を行う。不要なイメージの振幅を減少させるために入力ＲＦ信号にフィルタが必要となることから、ヘテロダイン受信機に追加のコストがかかることになる。
【０００５】
【発明が解決しようとする課題】
したがって、着信基準信号を周波数変換し不要のイメージを除去する方法および回路を有することができれば有利であろう。更に、完全なイメージ除去のために、変換信号を動的に補正する、利得減衰および位相関係双方を備えることができれば更に有利であろう。
【発明の実施の形態】
概して言えば、本発明は、イメージ除去送受信機(image reject transceiver)に位相検出および利得減衰を備え、不要のイメージを除去する。２つのミキサによって基準信号ＲＦINを周波数変換し、着信基準信号の基準レプリカ(reference replica) および直交レプリカ信号を発生する。位相検出回路は、２つのレプリカ信号間の位相分離に応じて、位相差値を与える。この位相差値を移相回路にフィードバックし、２つのレプリカ信号間の位相分離を調節する。加えて、振幅検出回路が振幅誤差値を与え、２つのレプリカ信号の利得を調節し一致させる。変換した信号の位相および利得双方を調節することによって、イメージ除去送受信機の受信機部分において、不要のイメージを除去する。
【０００６】
図１は、本発明によるイメージ除去送受信機１０のブロック図である。イメージ除去送受信機１０は、受信回路１６および送信機部分１７双方を含む。受信回路１６を含む受信機部分において、信号ＲＦINがアンテナ１２によって受信され、バッファ回路１４を介して、受信回路１６の入力１８に転送される。イメージ除去送受信機１０の送信機部分は、送信機ＶＣＯ２２を含む。ＶＣＯ２２は、端子２０において変調信号ＶMOD を受信し、出力信号ＶOSC を発生するように結合されている。ＶＣＯ２２の出力における信号ＶOSC は、バッファ回路２６を介して、アンテナ１２に転送される。加えて、ＶＣＯ２２の出力は、スイッチ２４を介して、受信機回路１６の入力１８に結合されている。好ましくは、スイッチ２４は、１つの制御端子および２つの電流搬送端子を有するトランジスタとする。一例として、スイッチ２４は、バイポーラ・トランジスタ，電界効果トランジスタ（ＦＥＴ）等とすることができる。
【０００７】
更に、受信回路１６は、２つのミキサ回路２８，３４を含み、入力１８において受信した信号ＲＦINの、各信号ＶＣＯI ，ＶＣＯQ との直交ミキシングを行う。更に具体的には、ミキサ回路２８，３４は各々、送信基準信号ＲＦINを受信するように結合された入力を有する。ミキサ回路２８の第２入力は、受信機ＶＣＯ３０の出力および移相回路(phase shift circuit) ３２の入力に共通に接続されている。ミキサ回路２８の出力は、位相検出回路３８の入力，振幅検出回路４０の入力，および加算回路４２の入力に共通に接続されている。ミキサ回路２８のことを、同相変換器（Ｉ−ミキサ）と呼ぶ。何故なら、これは、ＶＣＯ３０から直接ミックス・ダウンされた信号ＲＦINを表す変換基準である、出力信号ＶOUT1を発生するからである。
【０００８】
ミキサ回路３４の第２入力は、移相回路３２を介して、ＶＣＯ３０の出力に結合されている。ＶＣＯ３０が発生した信号ＶＣＯI は移相され、移相回路３２の出力において信号ＶＣＯQ となる。ミキサ回路３４の出力は、移相回路３６の入力に接続されている。ミキサ３４のことを直交変換器（Ｑ−ミキサ）と呼ぶ。何故なら、これは、ミックス・ダウン変換信号ＶOUT1と直交する、出力信号ＶOUT2を発生するからである。移相回路３６の出力は、位相検出回路３８の第２入力、振幅検出回路４０の第２入力、および加算回路４２の第２入力に共通に接続されている。加算回路４２の出力は、イメージ除去送受信機１０の出力４４として機能する。直交移相回路３６の出力において発生する信号ＶOUT3は、典型的に、信号ＶOUT2から９０度移相されている。
【０００９】
加えて、位相検出回路３８は、スイッチ４５の一方の電流搬送端子に接続された出力を有する。スイッチ４５の第２の電流搬送端子は、直交移相回路３６の第３入力およびコンデンサ４６の一方の端子に接続されている。コンデンサ４６の第２端子は、例えば、グランドのような電源導体に接続されている。あるいは、位相検出回路３８の出力は、スイッチ４５を介して、直交移相回路３２（図示せず）の他の入力に結合することも可能である。振幅検出回路４０の出力は、スイッチ４７の電流搬送端子に接続されている。スイッチ４７の第２電流搬送端子は、ミキサ回路３４の第３入力，およびコンデンサ４８の第１端子に接続されている。コンデンサ４８の第２端子は、例えば、グランドのような、電源導体に接続されている。スイッチ２４，４５，４７は、共通に接続された制御端子（図示せず）を有し、これらは時間セグメント信号を受信するように結合されている。スイッチ２４と同様、スイッチ４５，４７も、バイポーラ・トランジスタ，ＦＥＴ等とすることができる。尚、信号ＲＦINは、無線周波数（ＲＦ）範囲の信号から、中間周波数（ＩＦ）範囲の信号ＶOUT1，ＶOUT3に変換されることを注記しておく。
【００１０】
簡略化のため、信号ＲＦIN，ＶＣＯI ，ＶＣＯQ ，ＶOUT1，ＶOUT2，ＶOUT3，および位相検出回路３８および振幅検出回路４０の出力におけるフィードバック信号は、シングル・エンド信号として示した。典型的に、イメージ除去送受信機１０の高周波用途では、信号ＲＦIN，ＶＣＯI ，ＶＣＯQ ，ＶOUT1，ＶOUT2，ＶOUT3，および位相検出回路３８および振幅検出回路４０の出力におけるフィードバック信号は、差動信号である。したがって、イメージ除去送受信機１０における信号がシングル・エンド信号であることは、本発明の限定ではない。
【００１１】
イメージ除去送受信機１０は、通常送受信機モードおよび較正モードという２つのモードで動作する。通常送受信機モードでは、スイッチ２４，４５，４７は開いており、データはアンテナ１２を通じて受信または送信されている。ミキサ２８は、受信信号ＲＦINを信号ＶＣＯI と乗算し、信号ＶOUT1を生成する。信号ＶOUT1は、信号ＲＦIN，ＶＣＯI の和である成分と、信号ＲＦIN，ＶＣＯI の差である成分とを有する。このようにして、信号ＶOUT1は周波数変換され、信号ＲＦINの第１レプリカとなる。加えて、イメージ除去送受信機１０の入力における望ましくないイメージは、ＶＣＯ２２の周波数に対して偏倚している周波数を有する。言い換えると、イメージ除去送受信機１０は、ＶＣＯ２２が発生する信号の周波数よりも高い周波数を有する信号ＲＦINと、ＶＣＯ２２が発生する信号の周波数よりも低い周波数を有する望ましくない信号とを受信する。したがって、信号ＶOUT1は信号ＲＦINの変換第１レプリカであることに加えて、信号ＶOUT1は望ましくない周波数成分を有し、この周波数が第１レプリカ信号と同じ量だけ下方に変換される。尚、イメージ除去送受信機１０の入力における望ましくないイメージは、ＶＣＯ２２が発生する信号の周波数よりも高い周波数を有する可能性があることを注記しておく。その場合、加算回路４２は、信号ＶOUT1，ＶOUT3間の差であり、望ましくないイメージを相殺する差動値を与えることができる。
【００１２】
同様に、ミキサ回路３４による受信信号ＲＦINと信号ＶＣＯQ との乗算の結果、信号ＲＦIN，ＶＣＯQ の和である成分と、信号ＲＦIN，ＶＣＯQ の差である成分とを有する信号ＶOUT2が得られる。このように、信号ＶOUT2は、周波数変換され、信号ＲＦINの第２レプリカとなるが、信号ＶOUT1に対して９０度移相されている。この場合も、イメージ除去送受信機１０の入力において、望ましくないイメージが受信され、これはＶＣＯ２２によって偏倚(offset)された周波数を有する。したがって、信号ＶOUT2は、信号ＲＦINの変換第２レプリカであるにことに加えて、信号ＶOUT2は望ましくない信号成分を有する。即ち、望ましくないイメージは、第２レプリカ信号と同じ量だけ、その周波数が下方に変換される。
【００１３】
移相回路３６は、更に、信号ＶOUT3を発生する際に、信号ＶOUT2の位相、即ち、望ましいレプリカ信号および望ましくない周波数成分の双方を９０度シフトする。尚、信号ＶOUT3の望ましい周波数成分は、信号ＶOUT1の望ましい周波数成分と同相であるが、信号ＶOUT1，ＶOUT3の望ましくないイメージ成分は、１８０度位相がずれていることを注記しておく。理想的には、信号ＶOUT1およびＶOUT3の和を発生することにより、互いに位相外れの望ましくない周波数成分を相殺し、望ましい第１および第２レプリカ信号のみを残す。言い換えると、出力４４における信号の望ましくない周波数成分の相殺により、完全なイメージ除去が行われる。
【００１４】
しかしながら、信号ＶOUT1，ＶOUT3のイメージ成分の振幅が一致しない場合、または１８０度の位相分離を有さない場合、信号ＶOUT1内の望ましくない周波数成分は、信号ＶOUT3内の望ましくない周波数成分と相殺しない。言い換えると、振幅または位相誤差は、望ましくないイメージが出力４４における信号内において、完全に除去されていないことを意味する。
【００１５】
図２は、本発明による、イメージ除去対振幅誤差の関係のグラフであり、振幅誤差とは、信号ＶOUT1，ＶOUT3の振幅の差である。図２において、横軸は、信号ＶOUT1，ＶOUT3における振幅誤差量を表す対数目盛りであることを注記しておく。縦軸は、出力４４における信号からのイメージ除去量を表す。曲線５０，５２，５４，５６，５８は、それぞれ、０度，１度，２度，３度，および４度の位相誤差を示す。位相誤差は、１８０度の位相角度から、信号ＶOUT1，ＶOUT3間の位相角度の差を減じたものである。一例として、曲線５０は０の位相誤差を示し、これは、信号ＶOUT1，ＶOUT3が１８０度位相外れであることを意味する。したがって、曲線５０は、約０の位相誤差および約０．０１ｄＢ（デシベル）以下の振幅誤差を有する信号ＶOUT1，ＶOUT3によって、約６５ｄＢよりも多いイメージ除去が得られることを示す。加えて、約０．００１ｄＢ以下の振幅誤差によって、約８５ｄＢよりも多いイメージ除去が得られる。一方、曲線５２は、約１度の位相誤差および０．０１ｄＢ以下の振幅誤差を有する信号ＶOUT1，ＶOUT3が、約４２ｄＢのイメージ除去を有することを示す。
【００１６】
図３は、本発明によるイメージ除去対位相誤差の関係を示すグラフであり、横軸は信号ＶOUT1，ＶOUT3間の蓄積位相誤差を表す対数目盛りである。縦軸は、出力４４における信号内のイメージ除去量を表す。曲線６０，６２，６４，６６，６８は、それぞれ、０ｄＢ，０．１ｄＢ，０．２５ｄＢ，０．５ｄＢ．０．７５ｄＢの振幅誤差を表す。振幅誤差は、信号ＶOUT1，ＶOUT3間の振幅差である。一例として、曲線６０は、約０の振幅誤差および約０．１度以下の位相誤差を有する信号ＶOUT1，ＶOUT3では、約６０ｄＢのイメージ除去が得られることを示す。一方、曲線６２は、約０．１ｄＢの振幅誤差および約０．１度以下の位相誤差を有する信号ＶOUT1，ＶOUT3では、約４６ｄＢのイメージ除去が得られることを示す。
【００１７】
図２および図３は、ミキサ回路２８，３４の不整合位相および利得生成物、および移相回路３２，３６の低精度移相の、出力４４における信号のイメージ除去量に対する影響を示す。このように、不整合位相および利得生成物の原因となるミキサ回路２８，３４および移相回路３２，３６におけるプロセスおよび温度変動は、本発明にしたがって動的に補正しなければ、望ましくないイメージの除去減少を招く虞れがある。イメージ除去送受信機１０は、位相および利得誤差の動的補正によって、イメージ除去を行う。
【００１８】
図４は、図１の時間多重化イメージ除去送受信機１０において、イメージ除去のために位相および振幅補正を行う時間セグメントを示す。較正モードは、伝送時間期間における時間セグメントの使用を利用する。多くの場合、データは、パケット状に構成され、伝送帯域幅の改善を図る。一例として、時分割多重により、データをパケット即ちフレーム７０Ａ，７０Ｂ，７０Ｃに構成する。
【００１９】
各フレームは、受信スロット７２および送信スロット７４を含む。各受信スロット７２は、多数のタイム・スロット（ＴＳ）７６Ａ，７６Ｂ，７６Ｃ，．．．，７６Ｌから成る。同様に、各送信スロット７８も、多数のタイム・スロット７８Ａ，７８Ｂ，７８Ｃ，．．．，７８Ｌから成る。尚、受信スロット７２または送信スロット７４のいずれに含まれるタイム・スロットの数も、本発明の限定ではないことを注記しておく。
【００２０】
加えて、例えば、タイム・スロット７８Ａのようなタイム・スロットは、部分８０，部分８２，および部分８４を含む。部分８０，８２，８４は、時間セグメントとも呼ぶ。一例として、データおよび制御ビットは部分８０の間に送信され、後続のタイム・スロット７８Ｂ内に収容されているデータに関するチャネル情報は部分８２の間に送信され、ＶＣＯ３０（図１）は、部分８４の間にタイム・スロット７８Ｂにおいて送信されるデータの周波数に再ロックされる。各タイム・スロット内に含まれる部分の数は、本発明の限定でないことを注記しておく。更に、部分８０，８２，８４の間に行われる機能も、本発明の限定ではないことを注記しておく。言い換えると、イメージ除去送受信機１０は、較正モードにおいて、あらゆるタイム・スロットおよびあらゆる部分または部分の組み合わせを用いて、信号ＶOUT1，ＶOUT3の振幅および位相双方を調節することができる。
【００２１】
図１を参照すると、例えば、部分８４（図４）が第１論理状態にあり、スイッチ２４，４５，４７が閉じている場合に、較正モードとなる。本発明によれば、データはアンテナ１２を通じて受信も送信もされないが、信号ＶOSC がスイッチ２４を介して受信回路１６に送信される。設計上、ＶＣＯ２２は、受信信号ＲＦINと同じ周波数にロックされ、したがって、受信回路１６を較正するための単一周波数信号またはトーンとして用いることができる。
【００２２】
較正モードの間、ミキサ回路２８は、信号ＶOSC ，ＶＣＯI の和である成分と、信号ＶOSC ，ＶＣＯI の周波数の差である成分とを有する信号ＶOUT1を発生する。同様に、信号ＶOUT2は、信号ＶOSC ，ＶＣＯQ の和である成分と、信号ＶOSC ，ＶＣＯQ の周波数の差である成分とを有するが、これらは、信号ＶOUT1に対して、位相が９０度ずれている。加えて、移相回路３６は、信号ＶOUT3を発生する際に、信号ＶOUT2の位相を約９０度シフトする。単一のトーンを受信回路１６の入力１８に転送することにより、受信回路１６によって生じたいずれの位相および振幅誤差も、較正モードの間に補正することができる。このように、移相回路３２，３６の移相の組み合わせは、位相検出回路３８、および位相誤差を補正するために発生され移相回路３６に供給される適切な位相フィードバック信号によって決定することができる。加えて、振幅検出回路４０は、信号ＶOUT1，ＶOUT3の振幅差を判定し、ミキサ回路３４に適切な振幅フィードバック信号を発生し、振幅誤差を補正することができる。
【００２３】
振幅検出回路４０は、信号ＶOUT1，ＶOUT3の振幅差にほぼ等しいアナログ値を有する振幅フィードバック信号を発生する。このアナログ値は、スイッチ４７を介して転送され、コンデンサ４８に格納される。一例として、コンデンサ４８に蓄積される電荷の増大によって、ミキサ回路３４は信号ＶOUT2の振幅を拡大させる。一方、コンデンサ４８上の電荷の減少により、ミキサ回路３４は、信号ＶOUT2の振幅を減少させる。部分８４（図４）の周期性は、較正モードの間にコンデンサ４８上に蓄積される電荷が維持されることを保証する。信号ＶOUT2の振幅変化は、信号ＶOUT3において対応する振幅変化を生ずる。したがって、信号ＶOUT1の振幅が信号ＶOUT3の振幅に一致するまで、振幅フィードバック信号を調節する。
【００２４】
加えて、位相検出回路３８は、信号ＶOUT1，ＶOUT3を受信し、信号ＶOUT1，ＶOUT3の位相間の関係にしたがって、位相フィードバック信号の振幅を調節する。一例として、約０度の位相差は、約１８０度の位相分離を有するイメージ信号に対応し、約０の振幅を有する位相フィードバック信号を発生する。一方、１８０度でないイメージ信号の位相分離では、０よりも大きな振幅値を有する位相フィードバック信号を発生する。このアナログ値は、スイッチ４５を介して転送され、コンデンサ４６上に格納される。信号ＶOUT3の位相は、コンデンサ４６上に蓄積される電荷にしたがって調節する。部分８４（図４）の周期性は、較正モードの間にコンデンサ４６上に蓄積された電荷が維持されることを保証する。したがって、位相検出回路３８は、位相差が０度となり、イメージ信号が１８０度の位相分離を有するまで、信号ＶOUT1，ＶOUT3の相対位相を調節する。
【００２５】
信号ＶOUT1，ＶOUT3が０度の位相関係を有するのを妨げる、移相回路３２，３６のあらゆる不規則性は、位相検出回路３８によって検出することができる。加えて、信号ＶOUT1，ＶOUT3における振幅差を生ずるあらゆる不規則性も、振幅検出回路４０によって検出することができる。このように、受信回路１６のエレメントの電圧および温度変化に起因する不規則性は、動的に検出し補正することができる。
【００２６】
以上の説明から、望ましくないイメージを除去しつつ、入力信号のより低い周波数への周波数変換を可能にする構造および方法が提供されたことが認められよう。位相誤差および振幅誤差は、較正モードの間に動的に検出されて動的に補正され、望ましくないイメージの除去が行われる。
【図面の簡単な説明】
【図１】本発明によるイメージ除去送受信機のブロック図。
【図２】図１のイメージ除去送受信機の受信機部分について、イメージ除去対振幅誤差の関係を示すグラフ。
【図３】図１のイメージ除去送受信機の受信機部分について、イメージ除去対位相誤差の関係を示すグラフ。
【図４】図１のイメージ除去送受信機のために位相および振幅補正を行う時間セグメントを示す図。
【符号の説明】
１０    イメージ除去送受信機
１２    アンテナ
１４    バッファ回路
１６    受信回路
１７    送信機部分
１８    入力
２２    送信機ＶＣＯ
２４，４５，４７    スイッチ
２６    バッファ回路
２８，３４    ミキサ回路
３０    受信機ＶＣＯ
３２，３６    移相回路
３８    位相検出回路
４０    振幅検出回路
４２    加算回路
４４    出力
４６，４８    コンデンサ
５０，５２，５４，５６，５８，６０，６２，６４，６６，６８    曲線
７０Ａ，７０Ｂ，７０Ｃ    フレーム
７２    受信スロット
７４    送信スロット
７６Ａ，７６Ｂ，７６Ｃ，．．．，７６Ｌ    タイム・スロット
７８Ａ，７８Ｂ，７８Ｃ，．．．，７８Ｌ    タイム・スロット
【図１】
0004397443.tif 000002
【図２】
0004397443.tif 000003
【図３】
0004397443.tif 000004
【図４】
0004397443.tif 000005